(57)【要約】【課題】高い外観性を実現することができるタッチパネルを提供すること。【解決手段】本発明によるタッチパネル１は、開口部２ａと収納部２ｂを有する筐体２と、収納部２ｂに一部又は全部が収納される複数の基板３、４を含み、複数の基板３、４のうち所定の組合せの二の基板３、４の一方３の有する一方側四辺形状を他方４の有する他方側四辺形状よりも大きく形成し、一方側四辺形状が他方側四辺形状に対して外方にはみ出た部分３ａと開口部２ａの壁面との当接に基づいて、収納部２ｂに複数の基板３、４の一部４を収納された状態の筐体２と複数の基板３、４のなす形状が平坦な表面を有する直方体状とされることを特徴とする。【選択図】図１
2012141801.tif 000002
【特許請求の範囲】
【請求項１】
開口部と収納部を有する筐体と、前記収納部に一部又は全部が収納される複数の基板を含み、前記複数の基板のうち所定の組合せの二の基板の一方の有する一方側四辺形状を他方の有する他方側四辺形状よりも大きく形成し、前記一方側四辺形状が前記他方側四辺形状に対して外方にはみ出た部分と前記開口部の壁面との当接に基づいて、前記収納部に前記複数の基板の前記一部又は全部を収納された状態の前記筐体と前記複数の基板のなす形状が平坦な表面を有する直方体状とされることを特徴とするタッチパネル。
【請求項２】
前記所定の組合せの二の基板が可動側基板と固定側基板であって、前記一方が前記可動側基板であり前記他方が固定側基板であって、前記可動側基板が前記固定側基板に対してはみ出た部分が外枠部分を構成し、当該外枠部分が前記開口部の開口側壁面と当接することを特徴とする請求項１に記載のタッチパネル。
【請求項３】
前記複数の基板が可動側基板と固定側基板と固定基板により構成され、前記可動側基板の有する可動側四辺形状を前記固定側基板の有する固定側四辺形状よりも長辺方向の一方向に長く形成し、前記固定側基板の有する固定側四辺形状を前記固定基板の有する固定四辺形状よりも前記長辺方向の他方向と短辺方向の双方向に長く形成して、前記可動側四辺形状が前記固定側四辺形状に対して前記一方向にはみ出た一辺部分と、前記固定側四辺形状が前記固定四辺形状に対して前記他方向及び前記双方向にはみ出たコの字状部分が外枠部分を構成し、当該外枠部分が前記開口部の開口側壁面と当接することを特徴とする請求項１に記載のタッチパネル。
【請求項４】
前記所定の組合せの二の基板が可動側基板と固定側基板であって、前記一方が前記固定側基板であり前記他方が可動側基板であって、前記固定側基板が前記可動側基板に対してはみ出た部分が外枠部分を構成し、当該外枠部分が前記開口部の反開口側壁面と当接することを特徴とする請求項１に記載のタッチパネル。
【請求項５】
前記複数の基板が可動側基板と固定側基板と固定基板により構成され、前記可動側基板の有する可動側四辺形状と前記固定側基板の有する固定側四辺形状と同じ大きさとし、前記固定側基板の有する固定側四辺形状を前記固定基板の有する固定四辺形状よりも大きく形成して、前記固定四辺形状が前記固定側四辺形状に対してはみ出た部分が外枠部分を構成し、当該外枠部分が前記開口部の反開口側壁面と当接することを特徴とする請求項１に記載のタッチパネル。
【請求項６】
前記開口部の開口四辺形状は前記収納部の外形四辺形状よりも小さく形成され、当該開口部の反開口側に前記反開口側壁面が構成されることを特徴とする請求項４又は５に記載のタッチパネル。
【請求項７】
前記可動側基板と前記固定側基板を接合する枠状の接合剤を含み、前記可動側基板が含む可動側電極と前記固定側基板が含む固定側電極の双方に電気的に接続される引出線の圧着部が圧着される被圧着部を含むとともに、前記外枠部分の内側に隣接して前記枠状の接合剤が配置され、前記枠状の接合剤の一辺に位置する凹部に前記被圧着部が配置され、前記枠状の接合剤の厚みと前記圧着部の厚みを等しくしたことを特徴とする請求項２〜６のいずれか一項に記載のタッチパネル。
【請求項８】
前記収納部の反開口側に液晶装置を含み、当該液晶装置が前記引出線に接続されるとともに、前記引出線を配策する空間として、前記固定側基板と前記筐体との隙間又は前記固定基板の有する切欠きを用いることを特徴とする請求項７に記載のタッチパネル。
【請求項９】
前記開口側から視て前記外枠部分と前記枠状の接合剤の双方を覆う額縁部を有する化粧基板を含むことを特徴とする請求項８に記載のタッチパネル。
【発明の詳細な説明】
【技術分野】
【０００１】
本発明は、主として、携帯電話、電子手帳、ＰＤＡ（Personal Digital Assistance）等のモバイル用途の電子機器に用いられる抵抗膜式のタッチパネルに関する。特に、表面が平坦で引出線の凹凸が現れず、筐体とタッチパネルの段差のないタイプのタッチパネル及びタッチパネルの実装技術に関するものである。
【背景技術】
【０００２】
従来の抵抗膜式のタッチパネルの多くは、上側の可動側基板にポリエチレンテレフタレート等の可撓性、透過性、耐久性を有するフィルムを用い、下側の固定側基板にも同様のフィルム又はガラス等を用いて、さらに必要により、下側にガラスやプラスチック板等を設けている。
【０００３】
このタッチパネルでは、可動側基板及び固定側基板の相互に対向する面にそれぞれ透明導電膜、可動側電極、固定側電極及び配線パターンを設けて、指又はタッチペンの接触位置を検出するための回路を形成している。
【０００４】
この回路は筐体内に実装された駆動回路に接続され、開口部を有する筐体内の可動側基板及び固定側基板よりも下側には表示装置が設置されて、上述した電子機器の最終製品が組み立てられており、筐体と可動側基板の境界には段差が形成される特許文献１に記載されるような構成が一般的であった。
【先行技術文献】
【特許文献】
【０００５】
【特許文献１】特開２００５−７１１２３号公報
【発明の概要】
【発明が解決しようとする課題】
【０００６】
電子機器のうち特には小型の携帯電話、電子手帳、ＰＤＡ等にタッチパネルが搭載される場合、筐体と可動側基板の境界に段差を有する特許文献１に記載の構造においては、製品の厚さが厚くなり、持ち運びが不便となるという不都合を生じる。このことから、筐体と可動側基板との境界の段差を解消しうる筐体に対するタッチパネルの実装技術及びタッチパネルの設計、デザインが必要とされる要請が高くなっている。
【０００７】
本発明は、上記問題に鑑み、高い外観性を実現することができるタッチパネルを提供することを目的とする。
【課題を解決するための手段】
【０００８】
上記の問題を解決するため、本発明に係るタッチパネルは、
開口部と収納部を有する筐体と、
前記収納部に一部又は全部が収納される複数の基板を含み、
前記複数の基板のうち所定の組合せの二の基板の一方の有する一方側四辺形状を他方の有する他方側四辺形状よりも大きく形成し、前記一方側四辺形状が前記他方側四辺形状に対して外方にはみ出た部分と前記開口部の壁面との当接に基づいて、前記収納部に前記複数の基板の前記一部又は全部を収納された状態の前記筐体と前記複数の基板のなす形状が平坦な表面を有する直方体状とされることを特徴とする。
【発明の効果】
【０００９】
本発明のタッチパネルによれば、高い外観性を実現することができる。
【図面の簡単な説明】
【００１０】
【図１】実施例１のタッチパネル１の一実施形態を示す模式図である。
【図２】実施例１のタッチパネル１の一実施形態を示す模式図である。
【図３】実施例２のタッチパネル１の一実施形態を示す模式図である。
【図４】実施例２のタッチパネル１の一実施形態を示す模式図である。
【図５】実施例３のタッチパネル１の一実施形態を示す模式図である。
【図６】実施例４のタッチパネル１の一実施形態を示す模式図である。
【図７】実施例４のタッチパネル１の一実施形態を示す模式図である。
【発明を実施するための形態】
【００１１】
以下、本発明を実施するための形態について、添付図面を参照しながら説明する。なお、図１〜７中において左上図は、タッチパネル１を表側から見た平面図を示し、右上図は左上図におけるＣＣ断面を示し、上から二段目の左図においては、ＢＢ断面を示し、上から二段目の右図においてはＡＡ断面を示す。さらに、白抜きかつ下向きの矢印により関連付けられて下段に描かれた下図は、上段図、中段図、下段図の順番に二段階の実装前後におけるタッチパネル１のＡＡ断面視を示す。
【実施例１】
【００１２】
本実施例１のタッチパネル１は、図１に示すように、筐体２と、可動側基板３と、固定側基板４と、貼合せテープ（又は接着樹脂）５と、透明導電膜６と、透明導電膜７と、ドットスペーサ８と、引出線９と、ＬＣＤ１０と、クッション又は粘着テープ１１を含んで構成される。
【００１３】
筐体２は、例えばプラスチック等により図１左上図のＡＡ断面において、図１中下から二番目の図に示すように、上側つまり表面側に向けて開口するコの字状の形態を有する、上側に開口する開口部２ａを有する箱形形状を有している。
【００１４】
筐体２の底面と側面により収納部２ｂが構成され、収納部２ｂを構成する四つの側面の表面側においては、四角枠状の開口部２ａが構成される。開口部２ａの表面側は中空四角状の開口側壁面２ａｕが構成される。
【００１５】
可動側基板３は例えばポリエチレンフタレート等のフィルムにより構成され、裏面には例えばスパッタリング等の手法により例えば酸化インジウム錫等からなる透明導電膜６が形成される。可動側基板３のなす可動側四辺形状は開口部２ａの外輪郭をなす外輪郭四辺形状と一致するよう設計、製作がなされる。
【００１６】
固定側基板４は例えばガラス、プラスチック等の板状部材により構成され、表面には例えばスパッタリング等の手法により例えば酸化インジウム錫等からなる透明導電膜７が形成される。加えて、透明導電膜７の表面上には例えば絶縁性のエポキシ樹脂等により微小寸法のドットスペーサ８が所定間隔で配設される。固定側基板３のなす固定側四辺形状は開口部２ａの内輪郭をなす内輪郭四辺形状つまり開口四辺形状よりも小さく設定される。
【００１７】
可動側基板３の裏面は、図１中左上図の左方に可動側被圧着部３Ｄを含む。さらに、可動側基板３の裏面には、この透明導電膜６を図１中左上図の左右方向の外側から挟み込む形態で図示しない左右一対の銀電極が形成され、可動側被圧着部３Ｄが含む図示しない一対の可動側電極とそれぞれ電気的に接続される。
【００１８】
固定側基板４の表面は、図１中左上図の左方に固定側被圧着部４Ｕを含む。さらに、固定側基板４の表面には透明導電膜７を図１中上下方向の外側から挟み込む形態で図示しない銀電極が形成され、固定側被圧着部４Ｕが含む図示しない一対の固定側電極とそれぞれ電気的に接続される。
【００１９】
貼合せテープ５は、可動側基板３と固定側基板４を表裏方向に接合する図１左上図に示す斜線形態の枠状の接合剤を構成する。また、可動側被圧着部３Ｄと固定側被圧着部４Ｕは、可動側基板３が含む可動側電極と固定側基板４が含む固定側電極の双方に電気的に接続される図示しない四条の導体を含む引出線９の圧着部９ａが圧着される被圧着部３Ｄ＋４Ｕを構成する。
【００２０】
図１中下図の上段図に示すように、可動側基板３と固定側基板４を貼合せテープ５により貼り合わせてアッシーが構成され、さらに、引出線９の圧着部９ａの付け根部分を左方から裏側にＬ字状に折り曲げた後、図１中下図の中段図に示すように、収納部２ｂの底部にＬＣＤ１０が挿入され実装されて、図１中下図の下段図に示すように、筐体２の開口部２ａを介して上述したアッシーが収納部２ｂに挿入して、ＬＣＤ１０の表面側にクッション又は粘着テープ１１を介して実装する。
【００２１】
なお、本実施例１において筐体２の収納部２ｂの表裏方向の深さは、ＬＣＤ１０、クッション又は粘着テープ１１、固定側基板４、貼合せテープ５の合計厚みと等しくなるよう設定される。
【００２２】
本実施例１においては、所定の組合せの二の基板の一方が可動側基板３で他方が固定側基板４であって、可動側基板３が固定側基板４に対してはみ出た部分が□形状の外枠部分３ａを構成して、上述した実装作業後の状態において外枠部分３ａが開口部２ａの開口側壁面２ａｕと当接する構成としている。なお、図１中左上図において外枠部分３ａは図示中裏面に構成される。
【００２３】
すなわち、本実施例１においては、外方にはみ出た外枠部分３ａと開口部２ａの開口側壁面２ａｕとの当接に基づいて、収納部２ｂに固定側基板４を収納された状態の筐体２と可動側基板３のなす形状が平坦な表面を有する直方体状とされる。
【００２４】
図１中左上図に示すように、外枠部分３ａの内側に隣接して枠状の接合剤である貼合せテープ５が配置され、枠状の接合剤の一辺に位置する凹部５ａを貼合せテープ５の一辺の外側をくりぬいて構成し、この凹部５ａに被圧着部３Ｄ＋４Ｕが配置される。さらに、枠状の接合剤である貼合せテープ５の厚みと圧着部９ａの厚みを等しくしている。
【００２５】
加えて、図１中下図に示すように、実装後のタッチパネル１において、収納部２ｂの反開口側にはＬＣＤ１０（液晶装置）を含み、ＬＣＤ１０が引出線９に接続されるとともに、引出線９を配策する空間として、固定側基板４と筐体２との左右方向の隙間を用いている。
【００２６】
本実施例１のタッチパネル１においては、以上述べた構成を有することにより以下に述べるような作用効果を得ることができる。まず、貼合せテープ５に凹部５ａを設けて、被圧着部３Ｄ＋４Ｕに該当する位置において貼合せテープ５を延在させず、かつ、貼り合わせテープ５と圧着部９ａの厚みを相互に同等にすることにより、圧着部９ａと被圧着部３Ｄ＋４Ｕの圧着に伴う凹凸が発生することを防止することができる。これにより、可動側基板３の表面に凹凸が発生することをも防止して表面の平坦性を高めて美観性を高めることができる。
【００２７】
また可動側基板３の可動側四辺形状を固定側基板４の固定側四辺形状より大きくして外枠部分３ａを構成して、筐体２の開口部２ａの開口側壁面２ａｕを外枠部分３ａに当接させて、開口側壁面２ａｕにより外枠部分３ａひいては可動側基板３と固定側基板４を含むアッシーを支持することにより、可動側基板３と筐体２との境界部分は表面には現れることがないため、表面の平坦性を高めることができる。
【００２８】
ここで、可動側基板３と筐体２との境界部分は側面に現れることとなるが、可動側基板３の可動側四辺形状３と、筐体２つまり開口部２ａの外輪郭四辺形状とは上述したように一致させているため、側面においても、可動側基板３と筐体２との段差を生じさせることはなく、側面の平坦性と美観性をも高めることができる。
【００２９】
さらに、外枠部分３ａと開口側壁面２ａｕを当接させるとともに、外枠部分３ａの内側に隣接する位置に可動側被圧着部３Ｄと固定側被圧着部４Ｕ及び圧着部９ａを配置しているので、圧着部９ａ近傍に作用する力を安定させて、圧着時における凹凸の発生を防止することができ、電気的接続性を安定させることができる。
【００３０】
なお、図１に示した本実施例１においては、可動側基板３の開口側つまり表面を露出する形態としているが、可動側基板３の表面に図２に示すように、化粧シート１２を被せる形態とすることもできる。
【００３１】
つまり、本実施例１においては、開口側から視て外枠部分３ａと枠状の接合剤である貼合せテープ５の双方を覆う額縁部を有する化粧シート１２（化粧基板）を含むこととすることができる。なお、化粧シート１２の裏面は可動側基板３の表面に対して貼合せ透明樹脂１３を介して接合される。
【００３２】
ここで、化粧シート１２の額縁部は特に被圧着部３Ｄ＋４Ｕ及び圧着部９ａをユーザに対して隠す目隠し機能を具備するとともに、タッチパネル１の機能に併せて適宜アイコン等を表面に印刷により具備することができ、さらに、一般的に必要な機能である、傷つき防止機能や、反射防止機能、防眩性向上機能等を具備している。
【００３３】
この化粧シート１２を張り合わせるにあたっても、本実施例１においては、可動側基板３の特には被圧着部３Ｄ＋４Ｕ及び圧着部９ａ近傍の凹凸の発生を効果的に防止できているため、化粧シート１２の表面における凹凸の発生も防止することができる。
【００３４】
ここで、可動性基板３についてはポリエチレンテレフタレートの他、ポリカーボネート、耐熱性ポリカーボネート、ポリエチレンナフタレート、ポリエーテルサルフォン、環状ポリオレフィン、ノルボルネン系樹脂、ポリアリレート、ポリプロピレン、耐熱ナイロン、ポリイミド、ＰＥＥＫ等の材質を用いることもできる。
【００３５】
また固定側基板４にはガラス又はプラスチックが用いられる。このプラスチックについては、ポリカーボネート、耐熱性ポリカーボネート、ポリアクリレート、ポリメタクリレート、環状ポリオレフィン、ノルボルネン系樹脂、ポリアリレート、ポリプロピレン、耐熱ナイロン等を用いることができる。
【００３６】
貼合せテープ又は接着樹脂５については、例えば、両面テープや印刷のり等の一般的な材質を用いることができる。貼合せテープ５についてはタッチパネル１の外周部又は額縁状部に合わせた形態であって、中央部を適宜の手段によりくりぬいた形態を有する。
【００３７】
化粧シート１２については、ポリエチレンテレフタレート（ＰＥＴ）、ポリカーボネート、耐熱性ポリカーボネート、ポリエチレンナフタレート、ポリエーテルサルフォン、環状ポリオレフィン、ノルボルネン系樹脂、ポリアリレート、ポリプロピレン、耐熱ナイロン等を用いることができる。貼り合わせ透明樹脂１３についても、例えば両面テープや印刷のり等の一般的な材質を用いることができ、基材のない両面テープ、フィルム基材の両面テープ等を用いることができる。
【００３８】
上述した実施例１においては、外枠部分３ａを表裏方向に垂直な同一平面内に構成することとしたが、表方向から視て左右方向又は上下方向の適宜の位置で表裏方向にオフセットさせる形態としてもよい。以下にそれについての実施例２について述べる。なお、実施例１に示した構成要素と同一又は類似する構成要素については同一の符号を付し、同一又は類似する構成要素と特徴事項に関して重複する説明は省略又は簡略化する。
【実施例２】
【００３９】
本実施例２のタッチパネル１は、図３に示すように、複数の基板として可動側基板３と固定側基板４と固定基板１４を含む。本実施例２において固定側基板４は実施例１のフィルム状の可動側基板３と同様に、ポリエチレンテレフタレート等の材質を用いることもできる。固定基板１４はフィルム状でない実施例１に示した固定側基板４と同様にガラス又はプラスチックが用いられる。
【００４０】
図３中上図及び二段目の左図及び右図に示すように、可動側基板３の有する可動側四辺形状を固定側基板４の有する固定側四辺形状よりも長辺方向の一方向、図３中上図左方に長く形成し、固定側基板４の有する固定側四辺形状を固定基板１４の有する固定四辺形状よりも長辺方向の他方向つまり図３中右方と短辺方向の双方向つまり図３中上図上下方向に長く形成している。
【００４１】
可動側四辺形状が固定側四辺形状に対して一方向にはみ出た一辺部分３ａと、固定側四辺形状が固定四辺形状に対して他方向及び双方向にはみ出たコの字状部分４ａが外枠部分３ａ＋４ａを構成し、外枠部分３ａ＋４ａが開口部２ａの開口側壁面２ａｕと当接する。なお、図３中上図において一辺部分３ａ及びコの字状部分４ａは図示中裏面に構成される。
【００４２】
一辺部分３ａは図３中に示すように可動側基板３の裏面の一部であり、コの字状部分４ａは固定側基板４の裏面の一部であることに起因して、一辺部分３ａはコの字状部分４ａよりも表方向側にオフセットされている。これに合わせて、筐体２の開口部２ａについても図３中左方に位置する部分は右方に位置する部分に対して表方向側にオフセットされている。なお、筐体２の図３中左右方向に延在する部分の開口側壁面２ａｕは右方部分と表裏方向の位置を一致させている。
【００４３】
図３中下図の上段図に示すように、可動側基板３と固定側基板４を貼合せテープ５により貼り合わせてアッシーが構成され、さらに、引出線９の圧着部９ａの付け根部分を左方から裏側にＬ字状に折り曲げた後、図３中下図の中段図に示すように、収納部２ｂの底部にＬＣＤ１０が挿入され実装されて、図３中下図の下段図に示すように、筐体２の開口部２ａを介して上述したアッシーが収納部２ｂに挿入して、ＬＣＤ１０の表面側にクッション又は粘着テープ１１を介して実装する。
【００４４】
すなわち、本実施例２においては、外方にはみ出た外枠部分３ａ＋４ａと開口部２ａの開口側壁面２ａｕとの当接に基づいて、収納部２ｂに複数の基板３、４、１４の一部４、１４を収納された状態の筐体２と複数の基板３、４、１４のなす形状が平坦な表面を有する直方体状とされる。
【００４５】
本実施例２のタッチパネル１においては、以上述べた構成を有することにより以下に述べるような作用効果を得ることができる。まず実施例１と同様に、圧着部９ａと被圧着部３Ｄ＋４Ｕの圧着に伴う凹凸が発生することを防止することができ、可動側基板３の表面に凹凸が発生することをも防止することができる。これによって、タッチパネル１の表面の平坦性を高めて美観性を高めることができる。
【００４６】
また、筐体２の開口部２ａのオフセット部分を有する開口側壁面２ａｕを同じくオフセット部分を有する外枠部分３ａ＋４ａに当接させて、開口側壁面２ａｕにより外枠部分３ａ＋４ａひいては可動側基板３と固定側基板４と固定基板１４を含むアッシーを支持することにより、可動側基板３と筐体２との境界部分は表面には現れることがないため、表面の平坦性を高めることができる。
【００４７】
さらに実施例１と同様に、外枠部分３ａ＋４ａと開口側壁面２ａｕを当接させて、外枠部分３ａ＋４ａの一辺部分３ａの内側に隣接する位置に可動側被圧着部３Ｄと固定側被圧着部４Ｕ及び圧着部９ａを配置していることにより、圧着部９ａ近傍に作用する力を安定させ、圧着時における凹凸の発生を防止して電気的接続性を安定させることができる。
【００４８】
なお、図３に示した本実施例２においては、可動側基板３の開口側つまり表面を露出する形態としているが、可動側基板３の表面に図４に示すように、化粧シート１２を被せる形態とすることもできる。これにより外観性を更に高めることができる。
【００４９】
上述した実施例１及び実施例２においては、筐体２に形成される開口部２ａについて収納部２ｂに対してフラットで内側に突出しない形態を示したが、開口部２ａを内側に突出させて反開口側にオーバーハンク部を形成し、このオーバーハンク部を反開口側壁面２ａｄとして当接に利用する形態とすることもできる。以下それについての実施例３について述べる。なお、実施例１及び実施例２に示した構成要素と同一又は類似する構成要素については同一の符号を付し、同一又は類似する構成要素と特徴事項に関して重複する説明は省略又は簡略化する。
【実施例３】
【００５０】
本実施例３においては、図５中上図、上から二段目の左図及び右図に示すように、所定の組合せの二の基板の一方が可動側基板３で他方が固定側基板４であって、固定側基板４が可動側基板３に対してはみ出た開口側の部分が外枠部分４ａを構成し、外枠部分４ａが開口部２ａの反開口側壁面２ａｄと当接することとしている。また、筐体２については、可動側基板３と固定側基板４を貼合せテープ５で貼合せて構成されるアッシーを図５中下図の中段図に示すように下方つまり底面側から実装するため、収納部２ｂを表裏方向に分割可能な嵌合部２ｓを設けている。さらに、固定側基板４は図５中二段目の左図及び右図に示すように、引出線９を挿通する切欠き４ｂを左側の端面に具備している。
【００５１】
つまり、開口部２ａの内輪郭四辺形状つまり開口四辺形状は収納部２ｂの外形四辺形状よりも小さく形成され、開口部２ａの反開口側に反開口側壁面２ａｄが構成される。本実施例３においては、圧着部９ａ及び被圧着部３Ｄ＋４Ｕ近傍の構造は実施例１及び実施例２に示した構造と同等である。ＬＣＤ１０の収納形態についても同様である。
【００５２】
図５中下図の上段図に示すように、可動側基板３と固定側基板４を貼合せテープ５により貼り合わせてアッシーが構成され、さらに、引出線９の圧着部９ａの付け根部分を左方から裏側に切欠き４ｂを利用してＬ字状に折り曲げた後、図５中下図の中段図に示すように、収納部２ｂの底部にＬＣＤ１０が挿入され実装されて、図５中下図の中段図で示す嵌合部２ｓより筐体２の上部を分離した後下方からアッシーを挿入し実装して、下段図に示すように、筐体２を嵌合部２ｓにおいて嵌合することによりアッシーを収納部２ｂに挿入して、ＬＣＤ１０の表面側にクッション又は粘着テープ１１を介して実装する。
【００５３】
本実施例３のタッチパネル１においても、以上述べた構成を有することにより以下に述べるような実施例１及び実施例２と同様の作用効果を得ることができる。つまり、圧着部９ａと被圧着部３Ｄ＋４Ｕの圧着に伴う凹凸の発生を防止することができ、可動側基板３の表面に凹凸が発生することを防止し、タッチパネル１の表面の平坦性を高めて美観性を高めることができる。
【００５４】
また、筐体２の開口部２ａの反開口側壁面２ａｄを外枠部分４ａに当接させて、反開口側壁面２ａｄにより外枠部分４ａひいては可動側基板３と固定側基板４を含むアッシーを支持することにより、表面における可動側基板３と筐体２との境界部分に段差を生じさせることがないため、表面の平坦性を高めることができる。
【００５５】
さらに、外枠部分４ａと反開口側壁面２ａｄを当接させて、外枠部分４ａの内側に隣接する位置に可動側被圧着部３Ｄと固定側被圧着部４Ｕ及び圧着部９ａを配置していることにより、圧着部９ａ近傍に作用する力を安定させ、圧着時における凹凸の発生を防止して電気的接続性を安定させることができる。
【００５６】
なお、図５に示した本実施例３においては、可動側基板３の開口側つまり表面を露出する形態としているが、可動側基板３の表面に、実施例１及び実施例２と同様の化粧シート１２を被せる形態とすることもできる。これにより外観性を更に高めることができる。
【００５７】
上述した実施例３においては、開口側に指向する外枠部分４ａを固定側基板４により構成したが、固定基板１４に外枠部分１４ａを構成させることもできる。以下それについての実施例４について述べる。なお、実施例１〜３に示した構成要素と同一又は類似する構成要素については同一の符号を付し、同一又は類似する構成要素と特徴事項に関して重複する説明は省略又は簡略化する。
【実施例４】
【００５８】
本実施例４のタッチパネル１においては、複数の基板が可動側基板３と固定側基板４と固定基板１４により構成され、可動側基板３の有する可動側四辺形状と固定側基板４の有する固定側四辺形状と同じ大きさとし、固定側基板３の有する固定側四辺形状を固定基板１４の有する固定四辺形状よりも大きく形成して、固定四辺形状が固定側四辺形状に対してはみ出た部分が外枠部分１４ａを構成し、外枠部分１４ａが開口部２ａの反開口側壁面２ａｄと当接するものとする。
【００５９】
実施例３と同様に、開口部２ａの内輪郭四辺形状つまり開口四辺形状は収納部２ｂの外形四辺形状よりも小さく形成され、開口部２ａの反開口側に反開口側壁面２ａｄが構成されている。
【００６０】
本実施例４においても、圧着部９ａ及び被圧着部３Ｄ＋４Ｕ近傍の構造は実施例１及び実施例３に示した構造と同等である。ＬＣＤ１０の収納形態についても実施例３と同様である。本実施例４においては、固定基板１４が切欠き１４ｂを具備している。
【００６１】
図６中下図の上段図に示すように、可動側基板３と固定側基板４を貼合せテープ５により貼り合わせ、さらに固定基板１４を貼合せテープ１５により貼合せて、アッシーが構成され、さらに、引出線９の圧着部９ａの付け根部分を左方から裏側に切欠き１４ｂを利用してＬ字状に折り曲げた後、図６中下図の中段図に示すように、収納部２ｂの底部にＬＣＤ１０が挿入され実装されて、図６中下図の中段図で示す嵌合部２ｓより筐体２の上部を分離した後下方からアッシーを挿入し実装して、下段図に示すように、筐体２を嵌合部２ｓにおいて嵌合することによりアッシーを収納部２ｂに挿入して、ＬＣＤ１０の表面側にクッション又は粘着テープ１１を介して実装する。
【００６２】
本実施例４のタッチパネル１においても、以上述べた構成を有することにより以下に述べるような実施例１〜３と同様の作用効果を得ることができる。すなわち、圧着部９ａと被圧着部３Ｄ＋４Ｕの圧着に伴う凹凸の発生を防止して、可動側基板３の表面に凹凸が発生することを防止し、タッチパネル１の表面の平坦性を高めて美観性を高めることができる。
【００６３】
また、筐体２の開口部２ａの反開口側壁面２ａｄを外枠部分１４ａに当接させて、反開口側壁面２ａｄにより外枠部分１４ａひいては可動側基板３と固定側基板４及び固定基板１４を含むアッシーを支持することにより、表面における可動側基板３と筐体２との境界部分に段差を生じさせることがないため、表面の平坦性を高めることができる。
【００６４】
さらに、外枠部分１４ａと反開口側壁面２ａｄを当接させて、外枠部分１４ａの内側に隣接する位置に可動側被圧着部３Ｄと固定側被圧着部４Ｕ及び圧着部９ａを配置していることによって、圧着部９ａ近傍に作用する力を安定させ、圧着時における凹凸の発生を防止して電気的接続性を安定させることができる。
【００６５】
なお、図６に示した本実施例４においては、可動側基板３の開口側つまり表面を露出する形態としているが、図７に示すように、可動側基板３の表面に、実施例３と同様の化粧シート１２を被せる形態とすることもできる。これにより外観性を更に高めることができる。
【００６６】
以上本発明の好ましい実施例について詳細に説明したが、本発明は上述した実施例に制限されることなく、本発明の範囲を逸脱することなく、上述した実施例に種々の変形および置換を加えることができる。
【産業上の利用可能性】
【００６７】
本発明は、タッチパネルに関するものであり、高い外観性を実現することができるので、特には小型の電子機器、すなわち携帯電話、電子手帳、ＰＤＡ等に搭載されるタッチパネルに適用して有益なものである。
【符号の説明】
【００６８】
１      タッチパネル
２      筐体
２ａ    開口部
２ａｕ  開口側壁面
２ａｄ  反開口側壁面
２ｂ    収納部
２ｓ    嵌合部
３      可動側基板
３ａ    外枠部分
３Ｄ    可動側被圧着部
４      固定側基板
４ａ    外枠部分
４ｂ    切欠き
４Ｕ    固定側被圧着部
５      貼合せテープ、接着樹脂（接合剤）
５ａ    凹部
６      透明導電膜（可動側）
７      透明導電膜（固定側）
８      ドットスペーサ
９      引出線
９ａ    圧着部
１０      ＬＣＤ（液晶装置）
１１      クッション又は粘着テープ
１２      化粧シート（化粧基板）
１３      貼合せ透明樹脂
１４      固定基板
１４ａ    外枠部分
１４ｂ    切欠き
１５      貼合せテープ、接着樹脂（接合剤）
【図１】
2012141801.tif 000003
【図２】
2012141801.tif 000004
【図３】
2012141801.tif 000005
【図４】
2012141801.tif 000006
【図５】
2012141801.tif 000007
【図６】
2012141801.tif 000008
【図７】
2012141801.tif 000009